(57)【要約】      （修正有）【課題】  従来一人では背中腰などにお灸をする事は不可能であったが、本考案の竹炭筒お灸具は背中．腰など手が届かない各所でも、竹炭筒装着ベルトに竹炭筒お灸具を装着して体のどの部分でも簡単且つ安全に長時間お灸が出来るようにした竹炭筒お灸具の提供。【解決手段】  竹炭筒１の下部に工作ネット２を取り付け中央に穴１１を開けた紙３を、紙３の下部に穴１１を設けたマジックテープ４を貼付けて工作ネット２の下部に取り付け、一体化させるとともに、竹炭筒１の竹炭筒上部２３の円周を覆うように空気穴２１を設けた蓋９を更に蓋９の片方に空気穴２１を設けた接着テープ１０を貼り付けて竹炭筒上部２３に蓋９をした構成からなる竹炭筒お灸具【選択図】図１
0003125180.tif 000002
【実用新案登録請求の範囲】
【請求項１】
竹炭筒１の下部に工作ネット２を取り付け中央に穴１１を開けた厚紙３を、更に厚紙３の下部に穴１１の開いたマジックテープ４を貼付けて工作ネット２の下部に取り付け、竹炭筒１の竹炭筒底部２２と一体化させるとともに、竹炭筒１の竹炭筒上部２３の円周を覆うように空気穴２１を設けた蓋９を更に蓋９の片方に空気穴２１を設けた両面又は片面接着テープ１０を貼り付けて竹炭筒上部２３に蓋９をした構成からなる竹炭筒お灸具１２と、自在角度で人間の体１８に装着して使用できるべくようにした竹炭筒貼付けベルト１６の片面の一部に数個の装着穴１５を設けたマジックテープ１３を貼付けて固定させ自在に伸縮できるゴムバンド１４を左右に取り付けるとともに両端にマジックテープ４を貼り付けて固定させた構成からなる竹炭筒装着ベルト２０との組み合わせからなる竹炭筒お灸具
【考案の詳細な説明】
【考案の詳細な説明】
【技術分野】
【０００１】  従来一人では背中腰などにお灸をする事は不可能であったが、本考案の竹炭筒お灸具は背中．腰など手が届かない各所でも、竹炭筒装着ベルトに竹炭筒お灸具を装着して体のどの部分でも簡単に長時間お灸が出来るように考案されている。
【背景技術】
【０００２】従来のお灸は、小さいモグサを数回繰り返し行っているが一般的に熱いとか痛いの苦痛を伴うことが多く、火傷の跡が残るなどの欠点があった。
【考案が解決しようとする課題】
【０００３】従来は竹炭筒お灸具は存在していなかったし、従来のお灸と言えば一般的に熱い、痛いと思われるが、本考案の竹炭筒お灸具は、肌と工作ネット２の間が０，５センチ開いているため熱いとか、痛いをあまり感じさせないでお灸ができお灸の痕が残らないなど効果的である。
【課題を解決する為の手段】
【０００４】  上記目的を解決する為の手段としてツボを知らない者でも、本考案の竹炭筒お灸具は直径３センチ位の穴１１から出る熱が、約５センチ四方に広がり、肌が赤くなり効果がある。従来のお灸は、小さいモグサを数回繰り返し行っているが、本考案の竹炭筒お灸具は竹筒に一度モグサを詰めれば、約３０分は保温するので手間が省けて楽であるし竹炭筒１を横にしても、蓋９を張り付けているので、火又は炭がこぼれないようにしている。工作ネット２と肌の空間があるので、お灸の痕が残らないように工夫されている。
【考案を実施するための最良の形態】
【０００５】    考案の実施の形態に付いて図面を参照して説明する如く図３の竹炭筒１は炭釜で８００℃以上で焼いた高さ３，５センチ直径４センチの大きさが好ましいが、竹炭筒１の竹炭筒底部２２に工作ネット２を取り付けるが、０，２２センチ×０，０４５センチ目安の金網を丸く切り、接着剤で貼り付けた方が効果的である。厚さ２ミリ位の紙３を直径４，５センチのパンチで丸く切り、その中心に３センチ位の丸い穴１１をパンチで開け、竹炭筒１に金網で作った工作ネット２の部分に接着剤で貼り付ける。その部分にマジックテープ４、外径４，５センチくらいをパンチで丸く切りその中心に３センチの丸い穴１１を開ける。厚さ０，２ミリの紙３の上に貼り付ける。【０００６】  竹炭筒が割れる場合があるので、０，１センチの５の針金を１、２回巻きつける。竹炭筒貼付け布ベルト１６は巾５センチ、長さ８０センチ厚さ０，３ミリの布に直径３センチの装着穴１５をパンチで開け、その中心にマジックテープ１３を貼り付けるのが効果的である。竹炭筒貼付け布ベルト１６の片方にゴムバンド１４幅２，５センチ×長さ２０センチを貼り付ける。そのゴムバンド１４にマジックテープ４幅２，５センチ長さ１５センチを貼り付けるのが好ましい。  尚、図３で説明する如く、竹炭筒お灸具１２が万一割れないように竹炭筒１の周囲を針金５で結んで固定させた。
【考案の効果】
本考案は上述のとおり構成されており本考案は上述のとおり構成されており、従来のお灸とは効果が異なっている。竹炭筒の下部の穴１１から出る竹炭の遠赤外線熱、塩、ビワの葉、ヨモギなど自然の恵みからの放出熱で痛みを伴う患部に効果的なお灸を施すことができる。
又図５に示すように患部に効果的なお灸をするため竹炭筒貼付けベルト１６に数個の装着穴１５を空けたマジックテープ１３があるため、好きな位置に竹炭筒お灸具１２を装着できるべくようにしてあるなど一人では難しいとされている患部に簡単にお灸を施すことができるように工夫され効果的に活用される。
【図面の簡単な説明】
【図１】本考案の竹炭筒お灸具の断面図
【図２】竹炭筒お灸具を体に装着した斜視図
【図３】竹炭筒お灸具の斜視図断面図
【図４】竹炭筒装着ベルト斜視図
【図５】竹炭筒装着ベルトに竹炭筒お灸具を装着している斜視図
【符号の説明】
１    竹炭筒
２    工作ネット
３    紙
４    マジックテープ
５    針金
６    ビワの葉
７    モグサ
８    竹炭
９    蓋
１０  接着テープ
１１  穴
１２  竹炭筒お灸具
１３  穴
１４  ゴムバンド
１５  装着穴
１６  竹炭筒貼付けベルト
１７  手
１８  体
１９  矢印
２０  竹炭筒装着ベルト
２１  空気穴
２２  竹炭筒底部
２３  竹炭筒上部
【図１】
0003125180.tif 000003
【図２】
0003125180.tif 000004
【図３】
0003125180.tif 000005
【図４】
0003125180.tif 000006
【図５】
0003125180.tif 000007
【手続補正書】
【提出日】平成18年5月22日(2006.5.22)
【手続補正１】
【補正対象書類名】実用新案登録請求の範囲
【補正対象項目名】全文
【補正方法】変更
【補正の内容】
【実用新案登録請求の範囲】
【請求項１】
竹炭筒１の下部に工作ネット２を取り付け中央に穴１１を開けた厚紙３を、更に厚紙３の下部に穴１１の開いたマジックテープ（登録商標）４を貼付けて工作ネット２の下部に取り付け、竹炭筒１の竹炭筒底部２２と一体化させるとともに、竹炭筒１の竹炭筒上部２３の円周を覆うように空気穴２１を設けた蓋９を更に蓋９の片方に空気穴２１を設けた両面又は片面接着テープ１０を貼り付けて竹炭筒上部２３に蓋９をした構成からなる竹炭筒お灸具１２と、自在角度で人間の体１８に装着して使用できるべくようにした竹炭筒貼付けベルト１６の片面の一部に数個の装着穴１５を設けたマジックテープ（登録商標）４を貼付けて固定させ自在に伸縮できるゴムバンド１４を左右に取り付けるとともに両端にマジックテープ（登録商標）４を貼り付けて固定させた構成からなる竹炭筒装着ベルト２０との組み合わせからなる竹炭筒お灸具
【手続補正２】
【補正対象書類名】明細書
【補正対象項目名】全文
【補正方法】変更
【補正の内容】
【考案の詳細な説明】
【技術分野】
【０００１】  従来一人では背中腰などにお灸をする事は不可能であったが、本考案の竹炭筒お灸具は背中．腰など手が届かない各所でも、竹炭筒装着ベルトに竹炭筒お灸具を装着して体のどの部分でも簡単に長時間お灸が出来るように考案されている。
【背景技術】
【０００２】    従来のお灸は、小さいモグサを数回繰り返し行っているが一般的に熱いとか痛いなどの苦痛を伴うことが多く、火傷の跡が残るなどの欠点があった。
【考案の開示】
【考案が解決しようとする課題】
【０００３】  従来は竹炭筒お灸具は存在していなかったし、従来のお灸と言えば一般的に熱い、痛いと思われるが、本考案の竹炭筒お灸具は、肌と工作ネット２の間が０，５センチ開いているため熱いとか、痛いをあまり感じさせないでお灸ができ、お灸の痕が残らないなど効果的である。
【課題を解決するための手段】
【０００４】  上記目的を解決する為の手段としてツボを知らない者でも、本考案の竹炭筒お灸具は直径３センチ位の穴１１から出る熱が、約５センチ四方に広がり、肌が赤くなり効果がある。従来のお灸は、小さいモグサを数回繰り返し行っているが、本考案の竹炭筒お灸具は竹筒に一度モグサを詰めれば、約３０分は保温するので手間が省けて楽であるし竹炭筒１を横にしても、蓋９を張り付けているので、火又は炭がこぼれないようにしている。工作ネット２と肌の空間があるので、お灸の痕が残らないように工夫されている。
【考案の効果】
【０００５】本考案は上述のとおり構成されており本考案は上述のとおり構成されており、従来のお灸とは効果が異なっている。竹炭筒の下部の穴１１から出る竹炭の遠赤外線熱、塩、ビワの葉、ヨモギなど自然の恵みからの放出熱で痛みを伴う患部に効果的なお灸を施すことができる。  又図５に示すように患部に効果的なお灸をするため竹炭筒貼付けベルト１６に数個の装着穴１５を空けたマジックテープ（登録商標）４があるため、好きな位置に竹炭筒お灸具１２を装着できるべくようにしてあるなど一人では難しいとされている患部に簡単にお灸を施すことができるように工夫され効果的に活用される。
【考案を実施するための最良の形態】
【０００６】  考案の実施の形態に付いて図面を参照して説明する如く図３の竹炭筒１は炭釜で８００℃以上で焼いた高さ３，５センチ直径４センチの大きさが好ましいが、竹炭筒１の竹炭筒底部２２に工作ネット２を取り付けるが、０，２２センチ×０，０４５センチ目安の金網を丸く切り、接着剤で貼り付けた方が効果的である。厚さ２ミリ位の紙３を直径４，５センチのパンチで丸く切り、その中心に３センチ位の丸い穴１１をパンチで開け、竹炭筒１に金網で作った工作ネット２の部分に接着剤で貼り付ける。その部分にマジックテープ（登録商標）４、外径４，５センチくらいをパンチで丸く切りその中心に３センチの丸い穴１１を開ける。厚さ０，２ミリの紙３の上に貼り付ける。【０００７】  竹炭筒が割れる場合があるので、０，１センチの５の針金を１、２回巻きつける。竹炭筒貼付け布ベルト１６は巾５センチ、長さ８０センチ厚さ０，３ミリの布に直径３センチの装着穴１５をパンチで開け、その中心にマジックテープ（登録商標）４を貼り付けるのが効果的である。竹炭筒貼付け布ベルト１６の片方にゴムバンド１４幅２，５センチ×長さ２０センチを貼り付ける。そのゴムバンド１４にマジックテープ（登録商標）４、幅２，５センチ長さ１５センチを貼り付けるのが好ましい。  尚、図３で説明する如く、竹炭筒お灸具１２が万一割れないように竹炭筒１の周囲を針金５で結んで固定させた。
【実施例】
【０００８】  考案の実施の形態に付いて図面を参照して説明する如く図３の竹炭筒１は炭釜で８００℃以上で焼いた高さ３，５センチ直径４センチの大きさが好ましいが、竹炭筒１の竹炭筒底部２２に工作ネット２を取り付けるが、０，２２センチ×０，０４５センチ目安の金網を丸く切り、接着剤で貼り付けた方が効果的である。厚さ２ミリ位の紙３を直径４，５センチのパンチで丸く切り、その中心に３センチ位の丸い穴１１をパンチで開け、竹炭筒１に金網で作った工作ネット２の部分に接着剤で貼り付ける。その部分にマジックテープ（登録商標）４、外径４，５センチくらいをパンチで丸く切りその中心に３センチの丸い穴１１を開ける。厚さ０，２ミリの紙３の上に貼り付ける。【０００９】  竹炭筒が割れる場合があるので、０，１センチの５の針金を１、２回巻きつける。竹炭筒貼付け布ベルト１６は巾５センチ、長さ８０センチ厚さ０，３ミリの布に直径３センチの装着穴１５をパンチで開け、その中心にマジックテープ（登録商標）４を貼り付けるのが効果的である。竹炭筒貼付け布ベルト１６の片方にゴムバンド１４幅２，５センチ×長さ２０センチを貼り付ける。そのゴムバンド１４にマジックテープ（登録商標）４幅２，５センチ長さ１５センチを貼り付けるのが好ましい。尚、図３で説明する如く、竹炭筒お灸具１２が万一割れないように竹炭筒１の周囲を針金５で結んで固定させた。
【産業上の利用可能性】
【００１０】  本考案の竹炭筒お灸具は背中．腰など手が届かない各所でも、竹炭筒装着ベルに竹炭筒お灸具を装着して体のどの部分でも簡単に長時間お灸が出来るように考案されているので幅広く活用される可能性がある。
【図面の簡単な説明】
【００１１】
【図１】本考案の竹炭筒お灸具の断面図
【図２】竹炭筒お灸具を体に装着した斜視図
【図３】竹炭筒お灸具の斜視図断面図
【図４】竹炭筒装着ベルト斜視図
【図５】竹炭筒装着ベルトに竹炭筒お灸具を装着している斜視図
【符号の説明】
【００１２】１    竹炭筒
２    工作ネット
３    紙
４    マジックテープ（登録商標）
５    針金
６    ビワの葉
７    モグサ
８    竹炭
９    蓋
１０  接着テープ
１１  穴
１２  竹炭筒お灸具
１３
１４  ゴムバンド
１５  装着穴
１６  竹炭筒貼付けベルト
１７  手
１８  体
１９  矢印
２０  竹炭筒装着ベルト
２１  空気穴
２２  竹炭筒底部
２３  竹炭筒上部